(57)【要約】【課題】小型、高精細パネルのように画素領域からの距離が異なる複数の端子が形成されている場合においても、配線基板と他の部品との接続を容易に行えるようにする。【解決手段】電気光学装置１は、複数の画素を含む画素領域２００が形成された素子基板１１０Ａと、素子基板１１０Ａに形成された第１端子１２１と、素子基板１１０Ａの第１端子１２１を挟んで画素領域２００の反対側の位置に形成された第２端子１３１と、一端が素子基板１１０Ａに配置されて第１端子１２１と接続し、当該一端から他端に延びる形状の第１配線基板２０と、一端が素子基板１１０Ａに配置されて第２端子１３１と接続し、当該一端から他端に延びる形状の第２配線基板３０とを備え、第１配線基板２０、および第２配線基板３０は、端部２１Ａと端部３１Ａとの位置をずらした形状である。【選択図】図３
2018017790.tif 000002
【特許請求の範囲】
【請求項１】
複数の画素を含む画素領域を有する素子基板と、
前記素子基板に形成された第１端子と、
前記素子基板の前記第１端子を挟んで前記画素領域の反対側の位置に形成された第２端
子と、
一端が前記素子基板に配置されて前記第１端子と接続し、当該一端から他端に配線が延
びる形状の第１配線基板と、
一端が前記素子基板に配置されて前記第２端子と接続し、当該一端から他端に配線が延
びる形状の第２配線基板と
を備え、
前記第１配線基板、および前記第２配線基板は、当該第１配線基板の前記他端における
第１端部と、当該第２配線基板の前記他端における第２端部との位置が異なる
電気光学装置。
【請求項２】
前記第１端部と前記第２端部とは、前記第１配線基板と前記第２配線基板とが重なる方
向と異なる方向にずれている
ことを特徴とする請求項１に記載の電気光学装置。
【請求項３】
前記第１配線基板は、第１方向に屈曲する部分を有し、
前記第２配線基板は、前記第１方向とは異なる方向に屈曲する部分を有する
ことを特徴とする請求項２に記載の電気光学装置。
【請求項４】
前記第１配線基板の形状と、前記第２配線基板との形状とが同じである
ことを特徴とする請求項１に記載の電気光学装置。
【請求項５】
前記第１端子と前記第２端子との距離は、前記第１配線基板の前記一端から他端までの
距離と、前記第２配線基板の前記一端から他端までの距離との差よりも短い
ことを特徴とする請求項１に記載の電気光学装置。
【請求項６】
前記第１配線基板は、前記画素領域の一部の画素を駆動する信号を前記第１端子に供給
する第１駆動回路を有し、
前記第２配線基板は、前記画素領域の他の画素を駆動する信号を前記第２端子に供給す
る第２駆動回路を有する
ことを特徴とする請求項１から請求項５のいずれか１項に記載の電気光学装置。
【請求項７】
請求項１から請求項６のいずれか１項に記載の電気光学装置を備える電子機器。
【発明の詳細な説明】
【技術分野】
【０００１】
本発明は、電気光学装置および電子機器に関する。
【背景技術】
【０００２】
液晶等を備えた電気光学装置では、画素数の増加等に伴い、実装すべき端子の数の増加
が著しい。特許文献１には、ディスプレイパネル基板の一辺に沿って、複数行の端子が形
成されることが記載されている。特許文献１の技術では、複数行の各行の端子と、ＦＰＣ
（Flexible Print Circuit）との接続を、以下の手順で行う。まず、第１ＦＰＣの一端を
ディスプレイパネル基板に圧着接続し、その後に、他端をＰＣＢ（Printed Circuit Boar
d）と圧着接続する。次に、第１ＦＰＣをたわませて、第２ＦＰＣとＰＣＢとを接続する
位置決めを行い、その後に、ＰＣＢの先の圧着接続による位置ずれを調整して、第２ＦＰ
Ｃを圧着接続する。特許文献２には、パネルサイズに対する表示エリアの割合を大きくす
るために、複数の電源用ＦＰＣおよび複数のデータ用ＦＰＣを、有機ＥＬ（Electro-Lumi
nescence）パネルに対して二次元に配置することが記載されている。
【先行技術文献】
【特許文献】
【０００３】
【特許文献１】特開２０１１−２２１４４０号公報
【特許文献２】特開２００６−２３５２８０号公報
【発明の概要】
【発明が解決しようとする課題】
【０００４】
特許文献１の技術は、ディスプレイパネル基板とＦＰＣとを接続する工程が複雑であり
、小型、高精細パネルでは容易でない。特許文献２の技術では、重ねて配置される電源用
ＦＰＣとデータ用ＦＰＣとが、ほぼ同じ長さで、且つこれらの端子が重なり合う位置関係
である。このため、電源用ＦＰＣ、およびデータ用ＦＰＣを、パネル制御基板の対応する
箇所に接続する際には、接続箇所や接続順に注意しなければならない。
本発明は、上述した事情に鑑みてなされたもので、その目的の一つは、配線基板と接続
される複数の端子が、画素領域からの距離が異なる位置に形成される電気光学装置におい
て、配線基板と他の部品との接続を容易に行えるようにすることを目的とする。
【課題を解決するための手段】
【０００５】
上記目的を達成するために、本発明に係る電気光学装置は、複数の画素を含む画素領域
を有する素子基板と、前記素子基板に形成された第１端子と、前記素子基板の前記第１端
子を挟んで前記画素領域の反対側の位置に形成された第２端子と、一端が前記素子基板に
配置されて前記第１端子と接続し、当該一端から他端に配線が延びる形状の第１配線基板
と、一端が前記素子基板に配置されて前記第２端子と接続し、当該一端から他端に配線が
延びる形状の第２配線基板とを備え、前記第１配線基板、および前記第２配線基板は、当
該第１配線基板の前記他端における第１端部と、当該第２配線基板の前記他端における第
２端部との位置が異なる。
【０００６】
この発明の電気光学装置では、前記第１端部と前記第２端部とは、前記第１配線基板と
前記第２配線基板とが重なる方向と異なる方向にずれている形状となっている。このよう
にして、第１端部と第２端部との距離が確保されているので、例えば、小型、高精細パネ
ルにおいて、素子基板に画素領域からの距離が異なる複数の端子が形成されている場合で
も、小型、高精細パネルに接続された配線基板と他の部品との接続を容易に行えるように
することができる。
【０００７】
本発明において、前記第１配線基板は、第１方向に屈曲する部分を有し、前記第２配線
基板は、前記第１方向とは異なる方向に屈曲する部分を有してもよい。
この発明によれば、第１端部と第２端部とを、第１配線基板と第２配線基板とが重なる
方向と異なる方向にずらしてあるので、第１端部と第２端部とは他の部品との接続の妨げ
となり難い位置関係になる。
【０００８】
本発明において、前記第１配線基板は、第１方向に屈曲する部分を有し、前記第２配線
基板は、前記第１方向とは異なる方向に屈曲する部分を有してもよい。
この発明によれば、第１配線基板と第２配線基板とが互いに反対の方向に屈曲する部分
を有しているので、第１端部と第２端部とは他の部品との接続の妨げとなり難い位置関係
になる。
【０００９】
本発明において、前記第１配線基板の形状と、前記第２配線基板との形状とが同じであ
ってもよい。
この発明によれば、第１配線基板と第２配線基板との形状を異ならせなくてよい。
【００１０】
本発明において、前記第１端子と前記第２端子との距離は、前記第１配線基板の前記一
端から他端までの距離と、前記第２配線基板の前記一端から他端までの距離との差よりも
短くてもよい。
この発明によれば、第１端子と第２端子との距離を、第１配線基板と第２配線基板とに
おける一端から他端までの距離の差よりも短くすることで、素子基板の肥大化を抑制する
ことができる。
【００１１】
本発明において、前記第１配線基板は、前記画素領域の一部の画素を駆動する信号を前
記第１端子に供給する第１駆動回路を有し、前記第２配線基板は、前記画素領域の他の画
素を駆動する信号を前記第２端子に供給する第２駆動回路を有してもよい。
この発明によれば、第１配線基板と第２配線基板とが画素の駆動用に用いられる場合で
あっても、配線基板と他の部品との接続を容易に行えるようにすることができる。
【００１２】
本発明は、電気光学装置のほか、電子機器としても観念することが可能である。
【図面の簡単な説明】
【００１３】
【図１】本発明の一実施形態に係る電気光学装置の構成を示す斜視図。
【図２】同実施形態に係る配線基板の電気的な構成の説明図。
【図３】同実施形態の構成例１に係る配線基板が設けられた液晶パネルの正面図（図１のＺ軸方向視図）。
【図４】同実施形態に係る電気光学装置の制御系統を示すブロック図。
【図５】同実施形態の構成例２に係る配線基板が設けられた液晶パネルの正面図（図１のＺ軸方向視図）。
【図６】同実施形態に係る配線基板が設けられた液晶パネルの側面図（図５のVI方向視図）。
【図７】同実施形態の構成例３に係る配線基板が設けられた液晶パネルの正面図（図１のＺ軸方向視図）。
【図８】同実施形態に係る配線基板が設けられた液晶パネルの側面図（図７のVIII方向視図）。
【図９】本発明の電気光学装置を適用したプロジェクターを示す図。
【発明を実施するための形態】
【００１４】
以下、本発明の実施の形態について図面を参照しつつ説明する。以下の説明で参照する
各図において、各部材、各領域等を認識可能な大きさとするために、実際とは縮尺を異な
らせている場合がある。
図１は、本発明の一実施形態に係る電気光学装置１の構成を示す斜視図である。以下の
説明では、図１に示すＸ軸、Ｙ軸、およびＺ軸からなる直交座標系を用いて、各方向を表
すことがある。Ｘ軸、およびＹ軸は、矩形形状の画素領域２００の一辺に平行な方向に延
びている。Ｚ軸は、液晶パネル１００を正面から見たときの視線の方向に延びている。液
晶パネル１００の正面から背面に向かう方向がＺ軸正方向であり、背面から正面へ向かう
方向がＺ軸負方向である。
電気光学装置１は、液晶パネル１００と、第１駆動回路２２を有する第１配線基板２０
と、第２駆動回路３２を有する第２配線基板３０とを備える。第１配線基板２０、および
第２配線基板３０は、それぞれ、いわゆるＣＯＦ（Chip on Film）である。液晶パネル１
００は、第１駆動回路２２および第２駆動回路３２の２つの駆動回路により駆動され、１
つの駆動回路で駆動できる２倍の画素（２倍のデータ線）の駆動が可能である。
【００１５】
液晶パネル１００は、電気光学動作を行う電気光学パネルに相当し、ここでは透過型の
液晶パネルである。電気光学動作は、画素領域２００に画像を表示する表示動作を含む。
液晶パネル１００は、複数の画素電極（図示略）が形成された素子基板１１０Ａと、コモ
ン電極（図示略）が設けられた対向基板１１０Ｂとが、一定の間隙を保って貼り合わせら
れ、この間隙に、例えばＶＡ（Vertical Alignment）型の液晶が封入された構成である。
素子基板１１０Ａ、および対向基板１１０Ｂは、ガラスや石英等の光透過性を有する素材
で形成されている。
【００１６】
素子基板１１０Ａの画素領域２００は、対向基板１１０Ｂとの対向面に形成される。画
素領域２００は、ここでは、複数の画素を含む矩形形状の領域である。具体的には、画素
領域２００は、マトリクス状に配列する複数の画素電極によって形成され、当該画素電極
は、Ｘ軸方向に延びる複数行の走査線と、Ｙ軸方向に延びる複数列のデータ線との各交点
に対応して配置される。素子基板１１０Ａの対向基板１１０Ｂとの対向面には、素子基板
１１０Ａ上の画素領域２００の周縁領域の一辺に沿って、走査線駆動回路２１０が設けら
れている。画素領域２００の複数行の走査線は、走査線駆動回路２１０と接続され、画素
を選択する走査信号が供給される。走査線駆動回路２１０が設けられた辺に直交する他辺
には、データ線選択回路２２０、第１端子群１２０、および第２端子群１３０が形成され
ている。画素領域２００の複数列のデータ線は、データ線選択回路２２０と接続され、デ
ータ信号が供給される。第１端子群１２０、および第２端子群１３０が、それぞれ、デー
タ線選択回路２２０に沿って、Ｙ軸方向に並列に配置され、液晶パネル１００のＸ軸方向
のサイズ(幅)を広げることなく、高精細で小型の液晶パネル１００が構成される。
【００１７】
第１端子群１２０は、Ｘ軸方向に配列する複数の第１端子１２１を含む。第１端子群１
２０は、データ線選択回路２２０よりも画素領域２００から離れた位置、具体的には、Ｙ
軸方向の素子基板１１０Ａの端部側に位置する。複数の第１端子１２１は、後述するデー
タ信号およびタイミング信号が入力される端子を含み、データ線選択回路２２０に接続さ
れる。少なくとも、データ信号が入力される複数の第１端子１２１は、本実施形態では同
一形状、同一寸法、且つＺ軸方向に見て矩形である。また、少なくとも、データ信号が入
力される複数の第１端子１２１は、本実施形態では、等ピッチで配列する。
【００１８】
第２端子群１３０は、Ｘ軸方向に配列する複数の第２端子１３１を含む。第２端子群１
３０は、第１端子群１２０よりも画素領域２００から離れた位置、具体的には、第１端子
群１２０を挟んだ画素領域２００の反対側に位置する。すなわち、第２端子群１３０は、
第１端子群１２０よりＹ軸方向の素子基板１１０Ａの端部側に位置する。複数の第２端子
１３１は、後述するデータ信号およびタイミング信号が入力される端子を含み、データ線
選択回路２２０に接続される。少なくとも、データ信号が入力される複数の第２端子１３
１は、本実施形態では、同一形状、同一寸法、且つＺ軸方向に見て矩形である。また、少
なくとも、データ信号が入力される複数の第２端子１３１は、本実施形態では、等ピッチ
で配列する。本実施形態では、第１端子群１２０、および第２端子群１３０は、一組の第
１端子１２１と第２端子１３１とのＸ軸方向における位置が同じとなる。
【００１９】
第１配線基板２０は、一端が素子基板１１０Ａに配置され、第１端子群１２０の複数の
第１端子１２１と接続される。第２配線基板３０は、一端が素子基板１１０Ａに配置され
、第２端子群１３０の複数の第２端子１３１と接続される。第１配線基板２０の第１端子
１２１と接続される領域は、第２配線基板３０とＺ軸方向に重ならないように配置される
。第２配線基板３０の第２端子１３１と接続される領域は、第１配線基板２０とＺ軸方向
に重なるように配置される。
【００２０】
第１端子１２１には、第１配線基板２０を介して、液晶パネル１００を駆動する駆動信
号が供給される。第２端子１３１には、第２配線基板３０を介して、液晶パネル１００を
駆動する駆動信号が供給される。駆動信号は、各種信号や各種電圧を含む。この信号およ
び電圧に応じた駆動の一例として、走査線駆動回路２１０は、複数行の走査線の各走査線
に走査信号を供給する走査線駆動を行う。また、駆動信号に含まれるデータ信号とタイミ
ング信号により、データ線選択回路２２０は、複数列のデータ線の各データ線を選択し、
画素領域２００に画像を表示するために画素にデータ信号を供給するデータ線駆動を行う
。  なお、第１端子１２１、および第２端子１３１の数は、主にデータ線の本数、データ
線選択回路２２０の機能、および液晶パネル１００のＸ軸方向のサイズ(幅)により規定さ
れる。
【００２１】
図２は、第１配線基板２０、および第２配線基板３０の電気的な構成を説明する図であ
る（図１のＺ軸方向視図）。第１配線基板２０、および第２配線基板３０の構成は大略同
じである。このため、図２では、第２配線基板の３０の要素の符号については、括弧書き
で表す。また、図２は、第１配線基板２０、および第２配線基板３０の電気的な構成を説
明する図であり、形状は、図２に限定されるものでない。  第１配線基板２０は、基材２
１と、基材２１に形成された第１駆動回路２２とを備える。基材２１は、変形可能な素材
で形成された基板（例えばフィルム基板、可撓性基板）であり、複数の配線２３が形成さ
れたＦＰＣ（Flexible Print Circuit）である。第１駆動回路２２は、上位回路からの制
御により駆動信号等を生成して、液晶パネル１００に供給する。第１駆動回路２２は、Ｔ
ＡＢ（Tape Automated Bonding）技術を用いて、電気的、および機械的に基材２１の背面
に固着されている。複数の配線２３は、第１配線基板２０（基材２１）における液晶パネ
ル１００の第１端子１２１と接続される一端側から、反対の他端側に向かって、Ｙ軸方向
に延びている。第１駆動回路２２は、基材２１の配線２３の一部の信号線と接続されてい
る。複数の配線２３は、一端が端子２５と接続され、この端子２５を介して第１端子１２
１と接続される。
【００２２】
第１配線基板２０の他端は、本実施形態では後述するＰＣＢ（Printed Circuit Board
）６０と接続され、各種の信号が入力される接続部２４が設けられる。接続部２４によっ
て、第１配線基板２０の他端における端部２１Ａが構成される。端部２１Ａは本発明の第
１端部に相当する。
なお、液晶パネル１００の一部の第１端子１２１は、第１駆動回路２２を経由しない配
線２３と接続されている。この配線２３として、例えば、電源配線やグラウンド配線、第
１駆動回路２２を介さないで駆動信号を供給するためのものがある。
【００２３】
第２配線基板３０は、基材３１と、第２駆動回路３２と、配線３３とを備えている。第
２配線基板３０の構成は、第１配線基板２０の構成に関する説明のうち、「基材２１」、
「第１駆動回路２２」、「配線２３」、「端子２５」、「第１端子１２１」、「端部２１
Ａ」、および「接続部２４」を、「基材３１」、「第２駆動回路３２」、「配線３３」、
「端子３５」、「第２端子１３１」、「端部３１Ａ」、および「接続部３４」と読み替え
ることにより説明することができる。図２に示すように、接続部３４によって、第２配線
基板３０の他端における端部３１Ａが構成される。端部３１Ａは本発明の第２端部に相当
する。
【００２４】
次に、第１配線基板２０、および第２配線基板３０の構成例として、構成例１、構成例
２、および構成例３を説明する。第１配線基板２０、および第２配線基板３０は、ＰＣＢ
６０との接続を容易に行えるようにする形状となっている。
【００２５】
（構成例１）
図３は、構成例１に係る第１配線基板２０、および第２配線基板３０が設けられた液晶
パネル１００の正面図（図１のＺ軸方向視図）である。
図３に示すように、第１配線基板２０の基材２１は、第１部分２１１と、第２部分２１
２とによって構成される。第１部分２１１は、液晶パネル１００側の一端から、Ｙ軸方向
に直線状に延びている部分である。第２部分２１２は、第１部分２１１に連なる部分から
端部２１Ａまでの部分である。第２部分２１２は、第１部分２１１から、Ｘ軸方向の負方
向に向けて屈曲している（第１方向に屈曲している）。接続部２４は、ＰＣＢ６０に設け
られたコネクター４０に差し込まれる（装着される）ことで、ＰＣＢ６０と接続される。
また、第１駆動回路２２は、第１部分２１１に配置される。
【００２６】
第２配線基板３０の基材３１は、第１部分３１１と、第２部分３１２とによって構成さ
れる。第１部分３１１は、液晶パネル１００側の一端から、Ｙ軸方向に直線状に延びてい
る部分である。第２部分３１２は、第１部分３１１に連なる部分から端部３１Ａまでの部
分である。第２部分３１２は、第１部分３１１から、Ｘ軸方向の正方向に向けて屈曲して
いる（第２方向に屈曲している）。接続部３４は、ＰＣＢ６０に設けられたコネクター５
０に差し込まれる（装着される）ことで、ＰＣＢ６０と接続される。また、第２駆動回路
３２は、第２部分３１２に配置されるが、第１駆動回路２２とは、Ｚ軸方向に重ならない
ように配置される。
【００２７】
端部２１Ａと端部３１Ａとは、Ｙ軸方向における位置が同じである。ただし、端部２１
Ａと端部３１Ａとは、Ｘ軸方向にずれた位置にあり、Ｚ軸方向において重なりを持たない
配置となっている。ここでは、端部２１Ａと端部３１ＡとのＸ軸方向における距離は、「
Ｄ１」（ただし、Ｄ１＞０）となる。一方、コネクター４０とコネクター５０とのＸ軸方
向における距離は、「Ｄ０」である。ここでは、コネクター４０とコネクター５０とは離
間して配置されているので、Ｄ０＞０となる。ただし、第１配線基板２０、および第２配
線基板３０は、Ｄ１≧Ｄ０の関係を満たす形状となっている。
【００２８】
第１配線基板２０、および第２配線基板３０を図３に示す形状としているのは、端部２
１Ａと端部３１Ａとが、接続部２４とコネクター４０との接続、および接続部３４とコネ
クター５０との接続を、容易にするためである。接続部２４と接続部３４とはＺ軸方向に
ずれた位置にあるため、接続部２４をコネクター４０と接続する際に、接続部３４の存在
が邪魔となり難い。同様に、接続部３４をコネクター４０と接続する際に、接続部２４の
存在が邪魔となり難い。即ち、接続部２４とコネクター４０との接続、および接続部３４
とコネクター５０との接続は、どちらから先に行われてもよいといえる。また、接続部２
４と接続部３４との位置関係、およびコネクター４０とコネクター５０との位置関係から
、接続すべき接続部とコネクターとの組み合わせも明確である。
【００２９】
図４は、電気光学装置１の制御系統を示すブロック図である。図４に示すように、ＰＣ
Ｂ６０は、電気光学装置１の各部を制御する上位回路である制御回路６１を有する。
制御回路６１には、外部機器から供給された画像信号が、同期信号に同期して供給され
る。この画像信号は、液晶パネル１００が備える複数画素の画素毎に階調値を指定するデ
ジタルデータである。制御回路６１は、各種の制御信号を生成し、同期信号に同期してコ
ネクター４０、およびコネクター５０を介して出力することで、第１駆動回路２２、およ
び第２駆動回路３２を制御する。第１駆動回路２２、および第２駆動回路３２は、制御回
路６１から供給された信号に基づいて駆動信号を生成し、液晶パネル１００に供給する。
第１駆動回路２２は、画素領域２００の一部の領域Ｔ１の画素を駆動するための駆動信号
を第１端子１２１に、第２駆動回路３２は、画素領域２００の他の領域Ｔ２の画素を駆動
するための駆動信号を第２端子１３１に供給する。領域Ｔ１、および領域Ｔ２は、ここで
は画素領域２００をＸ軸方向に２等分にした領域であるが、領域の分け方はこの例に限ら
れず、複数の領域Ｔ１およびＴ２をＸ軸方向に交互に配置することもできる。領域Ｔ１の
数、Ｔ２の数、および領域Ｔ１、Ｔ２に含まれるデータ線の本数等は、第１駆動回路２２
、第２駆動回路３２、およびデータ線選択回路２２０の機能により設定可能である。また
、制御回路６１は、電気光学装置１の各部に電源電位を供給する電源制御を行う。
【００３０】
（構成例２）
図５は、構成例２に係る第１配線基板２０、および第２配線基板３０が設けられた液晶
パネル１００の正面図（図１のＺ軸方向視図）である。図６は、第１配線基板２０、およ
び第２配線基板３０の一端が、液晶パネル１００の第１端子１２１、および第２端子１３
１に、それぞれ、接続され、他端をＰＣＢ６０に接続した状態での、電気光学装置１の側
面図（図５のVI矢視図）である。
構成例２では、第１配線基板２０（換言すると、基材２１）の形状と、第２配線基板３
０の（換言すると、基材３１）の形状とが同じである。形状が同じとは、少なくとも設計
概念上等しくしていることを含む。第１配線基板２０と第２配線基板３０の形状が厳密に
一致している必要はなく、例えば、公差等を原因とする差異は許容されるものとする。ま
た、第１駆動回路２２と第２駆動回路３２とは、Ｚ軸方向に重ならないように配置される
。
【００３１】
基材２１、および基材３１は、ここでは、Ｚ軸方向に見て長方形に形成されている。そ
して、基材２１、および基材３１のＹ軸方向における一端から他端までの距離は、いずれ
も「Ｌ」である。一組の第１端子１２１と第２端子１３１との距離を「Ｄ３」とする。第
１端子１２１と第２端子１３１との距離は、ここでは、各端子のＹ軸方向における中心点
間の距離である。この場合において、液晶パネル１００の第１端子１２１、および第２端
子にそれぞれ接続された第１配線基板２０、および第２配線基板３０の端部２１Ａと端部
３１ＡとのＹ軸方向における距離は、必然的に「Ｄ３」となる。一方、この構成例２では
、ＰＣＢ６０のコネクター４０とコネクター５０は、Ｘ軸方向における位置が同じで、Ｙ
軸方向における位置がずれて配置され、Ｙ軸方向における距離は「Ｄ２」である。ここで
は、コネクター４０とコネクター５０との距離は、Ｙ軸方向における中心点間の距離によ
って特定される。そして、第１配線基板２０、および第２配線基板３０は、Ｄ３≧Ｄ２の
関係を満たす形状となっている。
【００３２】
このような第１配線基板２０、および第２配線基板３０の形状とすることで、接続部２
４とコネクター４０との接続、および接続部３４とコネクター５０との接続が、容易とな
る。構成例２では、コネクター４０と、コネクター５０とのＹ軸方向における距離「Ｄ２
」に応じて、第１端子１２１、および第２端子１３１の位置、つまり距離「Ｄ３」が決定
されることで、第１配線基板２０と第２配線基板３０とを同じ形状にしたとしても、接続
部２４と接続部３４とはＹ軸方向にずれた位置となる。よって、接続部３４をコネクター
５０と接続する際に、接続部２４の存在が邪魔となり難い。また、接続部２４と接続部３
４との位置関係、およびコネクター４０とコネクター５０との位置関係から、接続すべき
接続部とコネクターとの組み合わせも明確である。
電気光学装置１の制御系統は、上述した構成例１と同じでよいから、説明を省略する。
【００３３】
（構成例３）
図７は、構成例３に係る第１配線基板２０、および第２配線基板３０が設けられた液晶
パネル１００の正面図（図１のＺ軸方向視図）である。図８は、第１配線基板２０、およ
び第２配線基板３０の一端が、液晶パネル１００の第１端子１２１、および第２端子１３
１に、それぞれ、接続され、他端をＰＣＢ６０と接続した状態での、電気光学装置１の側
面図（図７のVIII矢視図）である。
構成例３では、一組の第１端子１２１と第２端子１３１との距離を「Ｄ４」とし、構成
例２で説明した「Ｄ３」よりも小さくしている（つまり、Ｄ４＜Ｄ３）。更に、第１配線
基板２０（換言すると、基材２１）と、第２配線基板３０の（換言すると、基材３１）と
のＹ軸方向における一端から他端までの距離を、異ならせてある。具体的には、基材２１
は「Ｌ１」で、基材３１は「Ｌ２」で、Ｌ１＜Ｌ２である。Ｌ１、Ｌ２は、電気光学パネ
ル１００の第１端子１２１、および第２端子１３１にそれぞれ接続された第１配線基板２
０、および第２配線基板３０の端部２１Ａと端部３１ＡとのＹ軸方向における距離が、（
構成例２）の場合と同じく、「Ｄ３」となるように決められている。
【００３４】
このような第１配線基板２０、および第２配線基板３０の形状とすることで、一組の第
１端子１２１と第２端子１３１とのＹ軸方向における距離を構成例２の場合よりも小さく
した場合でも、接続部２４とコネクター４０との接続、および接続部３４とコネクター５
０との接続を、容易にすることができる。これにより、素子基板１１０ＡのＹ軸方向にお
ける寸法を小さくできるので、電気光学装置１の高精細化に伴う肥大化を抑えることがで
きる。
電気光学装置１の制御系統は、上述した構成例１と同じでよいから、説明を省略する。
【００３５】
［変形例］
本発明は、上述した実施形態と異なる形態で実施することが可能である。また、以下に
示す変形例は、各々を適宜に組み合わせてもよい。
液晶パネル１００は、端子群を２つ有するのではなく、３つ以上備えてもよい。この場
合においても、第１配線基板、および第２配線基板は、第１配線基板における他端の第１
端部と、第２配線基板における他端の第２端部との位置をずらした形状であればよい。さ
らに、液晶パネル１００は、配線基板を３つ以上備え、３つ以上の端子群と、それぞれ、
接続してもよい。
また、接続部やコネクターの具体的な形状は特に問わない。第１配線基板２０、および
第２配線基板３０の端部は、接続部２４、および接続部３４のような接続部が設けられて
いない場合、基材２１、３１の端面によって特定される。また、液晶パネル１００に第１
配線基板２０、および第２配線基板３０の形状は、図３、５、７で説明した形状に限られ
ない。
また、第１配線基板２０、および第２配線基板３０は、複数の構成部が別体で形成され
、接続される構成であってもよい。例えば、構成例１では、第１部分２１１、３１１と、
第２部分２１２、３１２を別体で形成し、それぞれを接続してもよい。
【００３６】
本発明の電気光学パネルは、透過型の液晶パネルでなくてもよく、例えば反射型の液晶
パネルであってもよい。また、本発明の電気光学パネルは、電気光学動作を行えばよく、
有機ＥＬパネル等の液晶以外の電気光学素子を用いたパネルであってもよい。
【００３７】
次に、上述した各実施形態に係る電気光学装置１を用いた電子機器の一例として、液晶
パネル１００をライトバルブとして用いた投射型表示装置（プロジェクター）について説
明する。図９は、このプロジェクターの構成を示す平面図である。
図９に示すように、プロジェクター２１００の内部には、ハロゲンランプ等の白色光源
からなるランプユニット２１０２が設けられている。このランプユニット２１０２から射
出された投射光は、内部に配置された３枚のミラー２１０６、および２枚のダイクロイッ
クミラー２１０８によってＲ色、Ｇ色、およびＢ色の３原色に分離されて、各原色に対応
するライトバルブ１００Ｒ、１００Ｇ、および１００Ｂにそれぞれ導かれる。なお、Ｂ色
の光は、他のＲ色やＧ色と比較すると、光路が長いので、その損失を防ぐために、入射レ
ンズ２１２２、リレーレンズ２１２３、および出射レンズ２１２４からなるリレーレンズ
系２１２１を介して導かれる。
【００３８】
このプロジェクター２１００では、液晶パネル１００を含む電気光学装置１が、Ｒ色、
Ｇ色、およびＢ色のそれぞれに対応して３組設けられる。ライトバルブ１００Ｒ、１００
Ｇ、および１００Ｂの構成は、上述した液晶パネル１００と同様であり、それぞれ、第１
配線基板２０、および第２配線基板３０を介してＰＣＢ６０と接続される。Ｒ色、Ｇ色、
およびＢ色のそれぞれの原色成分の映像信号がそれぞれ外部上位回路から供給されて、Ｐ
ＣＢ６０で処理され、ライトバルブ１００Ｒ、１００Ｇ、および１００がそれぞれ駆動さ
れる構成となっている。
ライトバルブ１００Ｒ、１００Ｇ、および１００Ｂによってそれぞれ変調された光は、
ダイクロイックプリズム２１１２に３方向から入射する。そして、このダイクロイックプ
リズム２１１２において、Ｒ色、およびＢ色の光は９０度に屈折する一方、Ｇ色の光は直
進する。したがって、各原色の画像が合成された後、スクリーン２１２０には、投射レン
ズ２１１４によってカラー画像が投射されることとなる。
【００３９】
なお、ライトバルブ１００Ｒ、１００Ｇ、および１００Ｂには、ダイクロイックミラー
２１０８によって、Ｒ色、Ｇ色、およびＢ色のそれぞれに対応する光が入射するので、カ
ラーフィルターを設ける必要はない。また、ライトバルブ１００Ｒおよび１００Ｂの透過
像は、ダイクロイックプリズム２１１２により反射した後に投射されるのに対し、ライト
バルブ１００Ｇの透過像はそのまま投射されるので、ライトバルブ１００Ｒ、および１０
０Ｂによる水平走査方向は、ライトバルブ１００Ｇによる水平走査方向と逆向きにして、
左右を反転させた像を表示する構成となっている。
【００４０】
電子機器としては、図９を参照して説明したプロジェクターの他にも、テレビジョンや
、ビューファインダー型・モニター直視型のビデオテープレコーダー、カーナビゲーショ
ン装置、ページャー、電子手帳、電卓、ワードプロセッサー、ワークステーション、テレ
ビ電話、ＰＯＳ端末、デジタルスチルカメラ、携帯電話機、スマートフォンおよびタブレ
ット型端末その他のタッチパネルを備えた機器等が挙げられる。そして、これらの各種の
電子機器に対して、電気光学装置１が適用可能である。
【符号の説明】
【００４１】
１…電気光学装置、１００…液晶パネル、１１０Ａ…素子基板、１１０Ｂ…対向基板、１
２０…第１端子群、１２１…第１端子、１３０…第２端子群、１３１…第２端子、２０…
第１配線基板、２１…基材、２１Ａ…端部、２２…第１駆動回路、２３…配線、２４…接
続部、２５…端子、３０…第２配線基板、３１…基材、３１Ａ…端部、３２…第２駆動回
路、３３…配線、３４…接続部、３５…端子、４０，５０…コネクター、６０…ＰＣＢ、
６１…制御回路、２００…画素領域、２１０…走査線駆動回路、２２０…データ線選択回
路、２１００…プロジェクター。
【図１】
2018017790.tif 000003
【図２】
2018017790.tif 000004
【図３】
2018017790.tif 000005
【図４】
2018017790.tif 000006
【図５】
2018017790.tif 000007
【図６】
2018017790.tif 000008
【図７】
2018017790.tif 000009
【図８】
2018017790.tif 000010
【図９】
2018017790.tif 000011